(57)【要約】【課題】動的速度切り換え及びスケジューリング制御において、高いデータ速度チャネルのためのデータ速度がチャネル品質フィードバックに基づいて自動的に上又は下にシフトされるようにする。【解決手段】データ伝送を要求する複数の移動装置を決定し、次いで、データ伝送を要求する前記複数の移動装置のそれぞれに対してメトリックを決定する。次に、当該メトリックに基づいて、データ伝送を要求する複数の移動装置から１つの移動装置を選択する。次に、チャネル条件、及びフェード・サイクルで残されたコヒーレンス時間に基づいて伝送速度を決定し、パケットを伝送速度で選択された移動装置へ送信する。【選択図】図７
2007060723.tif 000002
【特許請求の範囲】
【請求項１】
データ伝送のための複数の移動装置をスケジューリングする方法において、
データ伝送を要求する複数の移動装置を決定するステップと、
データ伝送を要求する前記複数の移動装置のそれぞれのためのメトリックを決定するステップと、
前記メトリックに基づいて、データ伝送を要求する前記複数の移動装置から移動装置を選択するステップと、
チャネル条件、及びフェード・サイクルで残されたコヒーレンス時間に基づいて伝送速度を決定するステップと、
パケットを前記伝送速度で選択された移動装置へ送信するステップと
を備える方法。
【請求項２】
伝送速度を決定する前記ステップが、フェード・サイクルで残されたコヒーレンス時間がフェードが確実であることを示すとき低減された伝送速度を決定するステップを備える請求項１記載の方法。
【請求項３】
データ伝送のための複数の移動装置をスケジューリングする方法において、
データ伝送を要求する複数の移動装置を決定するステップと、
データ伝送を要求する前記複数の移動装置内の各移動装置のためのパワー制御フィードバック情報を決定するステップと、
データ伝送のため前記複数の移動装置をそれらのパワー制御フィードバック情報に基づいてスケジューリングするステップであって、当該スケジューリングが、前記複数の移動装置のうちの少なくとも１つの移動装置をデータ伝送のため前記複数の移動装置のうちの少なくとも１つの他の移動装置より上に優先順位付けすることを備える、前記スケジューリングするステップと
を備える方法。
【請求項４】
前記複数の移動装置内の各移動装置のためのＣ／Ｉ情報を決定するステップと、
前記複数の移動装置を更にＣ／Ｉに基づいてスケジューリングするステップと
を更に備える請求項３記載の方法。
【請求項５】
各移動装置のためのＣ／Ｉ情報を決定する前記ステップが、共通チャネルのフィードバック情報を決定するステップを備える請求項４記載の方法。
【請求項６】
データ伝送のため前記複数の移動装置をスケジューリングする前記ステップが、前記複数の移動装置により共用される共通チャネルを介して、データ伝送のための前記複数の移動装置をスケジューリングするステップを備える請求項３記載の方法。
【請求項７】
前記複数の移動装置をスケジューリングする前記ステップが、
前記複数の移動装置のそれぞれのためのメトリックを発生するステップと、
前記メトリックに基づいて移動装置を選択するステップと、
パケットを、選択された移動装置へ送信するステップと
を備える請求項３記載の方法。
【請求項８】
前記メトリックが、パケットがキューに入れられる時間に基づく優先順位メトリックを含む請求項７記載の方法。
【請求項９】
前記パワー制御フィードバック情報が、順方向専用チャネルの電圧利得の設定を備える請求項３記載の方法。
【請求項１０】
前記パワー制御フィードバック情報が、パワー制御コマンドの累積を備える請求項３記載の方法。
【請求項１１】
データ伝送のための移動装置をスケジューリングする装置において、
複数の移動装置のためのパワー制御情報を入力として有し且つパワー制御情報に基づくパワー制御統計量を出力するチャネル統計量推定器と、
パワー制御統計量を入力として有し、且つ当該パワー制御統計量に基づいて、スケジューリングされた移動装置を出力するスケジューラであって、前記スケジューリングされた移動装置は、データ伝送のため前記複数の移動装置のうちの少なくとも１つの移動装置より上に優先順位付けられる前記複数の移動装置のうちの少なくとも１つの他の移動装置を備える、前記スケジューラと
を備える装置。
【請求項１２】
前記チャネル統計量推定器は更に、前記複数の移動装置のためのＣ／Ｉフィードバック情報を入力として有し、且つ各移動装置のためのパワー制御及びＣ／Ｉ情報の両方に基づいて統計量を出力する請求項１１記載の装置。
【請求項１３】
前記Ｃ／Ｉ情報が、前記複数の移動装置により共用される共通チャネルのためのＣ／Ｉフィードバック情報である請求項１２記載の装置。
【請求項１４】
前記パワー制御フィードバック情報が、順方向専用チャネルの電圧利得の設定を備える請求項１１記載の装置。
【請求項１５】
前記パワー制御フィードバック情報が、パワー制御コマンドの累積を備える請求項１１記載の装置。
【請求項１６】
データ伝送のための複数の移動装置をスケジューリングする方法において、
データ伝送を要求する複数の移動装置を決定するステップと、
データ伝送を要求する前記複数の移動装置のそれぞれのためのフェーディング・メトリックを決定するステップと、
データ伝送を要求する前記複数の移動装置のそれぞれのためパケットがキューに入れられる時間に基づいて優先順位メトリックを決定するステップと、
前記フェーディング・メトリック及び前記優先順位メトリックに基づいて、データ伝送を要求する前記複数の移動装置から移動装置を選択するステップと、
パケットを選択された移動装置へ送信するステップと
を備える方法。
【請求項１７】
前記フェーディング・メトリックが、順方向専用チャネルの電圧利得の設定に基づいている請求項１６記載の装置。
【請求項１８】
前記フェーディング・メトリックが、パワー制御コマンドの累積に基づいている請求項１６記載の方法。
【請求項１９】
前記フェーディング・メトリックが、測定されたＣ／Ｉフィードバックに基づいている請求項１６記載の方法。
【発明の詳細な説明】
【技術分野】
【０００１】
本発明は、一般的に通信システムに関し、詳細にはチャネル品質フィードバックを介した動的スケジューリングのための改良された方法及びシステムに関する。
【背景技術】
【０００２】
国際標準化機構（ＩＳＯ）のような標準化団体は、通信サブシステムの参照モデルに対して層状化されたアプローチ（ｌａｙｅｒｅｄ  ａｐｐｒｏａｃｈ）を採用してきた。完全な通信サブシステムは、各層が通信サブシステム全体のコンテキストにおいて十分定義された機能を実行する多数の層に細分化されている。それは、定義されたプロトコルに従って、メッセージ、即ちユーザ・データ及び追加の制御情報の両方を、遠隔システムにおける対応するピア層（ｐｅｅｒ  ｌａｙｅｒ）でもって交換することにより動作する。各層は、それ自体と直ぐ上及び下の層との間の十分定義されたインターフェースを有する。従って、特定のプロトコル層の実現は、他の全ての層とは無関係である。各層の機能は、別の（遠隔の）システムにおける類似のピア層と通信するためその層により用いられる１組の規則及び協定を定義するプロトコルとして公式に指定される。各層は、直ぐ上の層に、定義された１組のサービスを与える。それはまた、その直ぐ下の層により与えられるサービスを用いて、プロトコルと関連したメッセージ・ユニットを遠隔ピア層へ移送する。
【０００３】
符号分割多元接続（ＣＤＭＡ）のような通信システムは、インフラストラクチャ装置と加入者又は移動装置との間でメッセージを通信する。本明細書において用いられるように、順方向又はダウンリンク・チャネルは、セルラ・インフラストラクチャ装置により発生され且つ移動通信装置による受信のため送信されるデータに関連し、そして逆方向又はアップリンク・チャネルは、移動セルラ電話機のような移動通信装置により発生され且つセルラ・インフラストラクチャ装置、特に基地局による受信のため送信されるデータに関連している。
【０００４】
最も基本的レベルでは、ｃｄｍａ２０００は、ＩＭＴ−２０００のためＩＴＵにより指定された一般構造に従ってＩＳＯ／ＯＳＩ参照モデルの２つの底部層（即ち、層１−物理層及び層２−リンク層）に対応するプロトコル及びサービスを提供する。ｃｄｍａ２０００においては、一般化されたマルチメディア・サービス・モデルがサポートされる。これは、音声、パケット・データ及び回路データ・サービスの組み合わせが同時に（エア・インターフェース・システム容量（ａｉｒ  ｉｎｔｅｒｆａｃｅ  ｓｙｓｔｅｍ  ｃａｐａｃｉｔｙ）の限界内で）動作していることを可能にする。ｃｄｍａ２０００はまた、複数の同時サービスの変化する、サービスの品質（ＱＯＳ）要件を均衡させるためのＱＯＳ制御機構を含む。
【発明の開示】
【発明が解決しようとする課題】
【０００５】
音声、パケット・データ及び回路データ・サービスの組み合わせが同時に動作することに関連した１つの問題は、高いデータ速度接続を、要求された固定の誤り率で、変化する品質のチャネルを介して維持する能力である。更に、高いデータ速度チャネルが活動状態にあるときシステム容量を最大にすることは別の問題を与える。従って、高いデータ速度チャネルのためのデータ速度がチャネル品質フィードバックに基づいて自動的に上又は下にシフトされる、動的速度切り換え及びスケジューリング制御方法及びシステムに対する必要性が存在する。
【０００６】
本発明の新規な特徴と考えられる特性が特許請求の範囲に記載されている。しかしながら、本発明自体、並びに使用の好適なモード、本発明の更なる目的及び利点は、添付図面と共に読まれるとき例証的実施形態の以下の詳細な記載を参照することにより最良に理解されるであろう。
【課題を解決するための手段】
【０００７】
上記課題を解決するため、本発明に従ったデータ伝送のための複数の移動装置をスケジューリングする方法は、データ伝送を要求する複数の移動装置を決定するステップと、データ伝送を要求する前記複数の移動装置のそれぞれのためのメトリックを決定するステップと、前記メトリックに基づいて、データ伝送を要求する前記複数の移動装置から移動装置を選択するステップと、チャネル条件、及びフェード・サイクルで残されたコヒーレンス時間に基づいて伝送速度を決定するステップと、パケットを前記伝送速度で選択された移動装置へ送信するステップとを備えることを特徴とする。
【０００８】
また、上記課題を解決するため、本発明に従ったデータ伝送のための複数の移動装置をスケジューリングする方法は、データ伝送を要求する複数の移動装置を決定するステップと、データ伝送を要求する前記複数の移動装置内の各移動装置のためのパワー制御フィードバック情報を決定するステップと、データ伝送のため前記複数の移動装置をそれらのパワー制御フィードバック情報に基づいてスケジューリングするステップであって、当該スケジューリングが、前記複数の移動装置のうちの少なくとも１つの移動装置をデータ伝送のため前記複数の移動装置のうちの少なくとも１つの他の移動装置より上に優先順位付けすることを備える、前記スケジューリングするステップとを備えることを特徴とする。
【０００９】
更に、上記課題を解決するため、本発明に従ったデータ伝送のための移動装置をスケジューリングする装置は、複数の移動装置のためのパワー制御情報を入力として有し且つパワー制御情報に基づくパワー制御統計量を出力するチャネル統計量推定器と、パワー制御統計量を入力として有し、且つ当該パワー制御統計量に基づいて、スケジューリングされた移動装置を出力するスケジューラであって、前記スケジューリングされた移動装置は、データ伝送のため前記複数の移動装置のうちの少なくとも１つの移動装置より上に優先順位付けられる前記複数の移動装置のうちの少なくとも１つの他の移動装置を備える、前記スケジューラとを備えることを特徴とする。
【００１０】
また、上記課題を解決するため、本発明に従ったデータ伝送のための複数の移動装置をスケジューリングする方法は、データ伝送を要求する複数の移動装置を決定するステップと、データ伝送を要求する前記複数の移動装置のそれぞれのためのフェーディング・メトリックを決定するステップと、データ伝送を要求する前記複数の移動装置のそれぞれのためパケットがキューに入れられる時間に基づいて優先順位メトリックを決定するステップと、前記フェーディング・メトリック及び前記優先順位メトリックに基づいて、データ伝送を要求する前記複数の移動装置から移動装置を選択するステップと、パケットを選択された移動装置へ送信するステップとを備えることを特徴とする。
【発明を実施するための最良の形態】
【００１１】
図１は、本発明の好適な実施形態に従った通信システム１００を示す。通信システム１００は、移動局１０２、第１のトランシーバ基地局１０４、第２のトランシーバ基地局１０３及び中央基地局制御装置（ＣＢＳＣ）１０５を含む。ＣＢＳＣ１０５は、トランスコーダ（ｔｒａｎｓｃｏｄｅｒ）１０６及び選択分配ユニット（ＳＤＵ）１１１を含む。通信システム１００は、複数の移動局及びトランシーバ基地局を含むのが好ましいが、しかし理解しやすいように図１には１つの移動局と２つのトランシーバ基地局のみが示されている。好適な実施形態においては、通信システム１００は、符号分割多元接続（ＣＤＭＡ）システムである。通信システム１００はまた、信号送出（ｓｉｇｎａｌｉｎｇ）メッセージを送信し且つ正確な配送及び移動局による受信を必要とするいずれの通信システムであり得る。
【００１２】
第１のトランシーバ基地局１０４は、送信器及び受信器を含むトランシーバ１０８を含む。第２のトランシーバ基地局１０３は、送信器及び受信器を含むトランシーバ１０７を含む。トランシーバ１０７及び１０８は、空中を介して、移動装置１０２により受信されるＲＦ信号を送信する。その送信は、当該技術では周知であり、本出願ではこれ以上説明しない。トランシーバ基地局１０３及び１０４から移動装置１０２へ送信された信号は、本明細書では順方向トラフィック・フレーム又は順方向リンク・メッセージと呼ぶ。トランシーバ１０７及び１０８は、当該技術において周知のように、メッセージを移動装置１０２から受信する。そのようなメッセージは、本明細書では逆方向リンク・メッセージと呼ぶ。
【００１３】
移動装置１０２は、トランシーバ基地局１０３及び１０４と通信することができるセルラ電話装置であることが好ましい。好適な実施形態においては、移動装置１０２はディジタル・セルラＣＤＭＡ電話機である。移動装置１０２はまた、無線データ端末装置又はテレビ電話機であってよい。移動装置１０２は、当該技術において周知のように、送信器及び受信器を含むトランシーバ１１０を含む。移動装置１０２に配置されたトランシーバ１１０がメッセージを逆方向リンク上で送信することにより、そして基地局１０３及び１０４が発生したメッセージを、移動装置１０２に配置されたトランシーバ１１０で順方向リンク上に受信することにより、移動装置１０２は基地局１０３及び１０４と通信する。
【００１４】
本発明の好適な実施形態において、トランシーバ基地局（ＢＴＳ）１０３及び１０４は、通信システム１００におけるパワー制御を管理するための中心位置装置として動作する。本発明の代替実施形態においては、ＣＳＢＣ１０５は、通信システム１００におけるパワー制御を管理する。
【００１５】
図２は、本発明の方法及びシステムに従った通信システムの層構造２００のブロック図を示す。好適な実施形態において、図２は、ＩＳ−９５及びｃｄｍａ２０００層構造のブロック図を示す。しかしながら、ＣＤＭＡＯｎｅ、ＵＭＩＴＳ及びＡＲＩＢのような他の通信システムが類似の層構造を有することが当業者により認められるであろう。図２に示されるように、ＩＳ−９５は、音声、パケット・データ、単純な回路データ、及び音声及びパケット・データの同時サービスを与える層状化された構造を有する。用語「ＩＳ−９５」は、ｃｄｍａ２０００より先行のものであるいずれの標準、即ちＩＳ−９５−Ａ及びＴＩＡ／ＥＩＡ−９５−Ｂを含む。最も基本的レベルでは、ｃｄｍａ２０００は、ＩＭＴ−２０００システムのためＩＴＵにより指定された一般構造に従ったＩＳＯ／ＯＳＩ参照モデルの２つの底部層（即ち、層１−物理層２０２、及び層２−リンク層２０４）と対応するプロトコル及びサービスを提供する。層２（２０４）は更に、リンク・アクセス制御（ＬＡＣ）サブレイヤ２０６と媒体アクセス制御（ＭＡＣ）サブレイヤ２０８に細分割される。更に、複数の同時サービスの、変化するサービス品質（ＱＯＳ）要件を均衡させるため、ＱＯＳ制御機構２１０が含まれる。ＯＳＩの層３から層７に対応するアプリケーション及び上位層プロトコルは、ｃｄｍａ２０００ＬＡＣサービスにより与えられるサービスを利用する。例として、信号送出サービス、音声サービス、パケット・データ・アプリケーション（ＴＣＰ／ＩＰ）、及び回路データ・アプリケーションが含まれる。
【００１６】
ｃｄｍａ２０００ＬＡＣ及びＭＡＣサブレイヤ２０６、２０８の設計は、多くの要因により動機付けられる。それらの要因は、とりわけ、広範囲の上位層サービスをサポートする必要性と、広い性能範囲にわたって動作するデータ・サービスに対して高い効率及び低い待ち時間を与える要件と、回路及びパケット・データ・サービスの高度なＱＯＳ配送のためのサポートと、各々が変化するＱＯＳ要件を有する、複数の同時音声、パケット・データ及び回路データ・サービスをサポートする高度なマルチメディア・サービスの需要とである。ｃｄｍａ２０００ＭＡＣサブレイヤ２０８は、２つの重要な機能を与える。それらの機能とは、（１）最良の努力配送であり、最良の努力レベルの信頼性を与える無線リンク・プロトコル（ＲＬＰ）２１２を有する無線リンクを介する相当に信頼性のある伝送であり、そして（２）多重化及びQOS制御であり、競合するサービスからの衝突する要求を調停することによる、及びアクセス要求の適切な優先順位付けによる、折衝したＱＯＳレベルの施行（ｅｎｆｏｒｃｅｍｅｎｔ）である。これらの衝突する要件の解は、ユーザ及びシステム要件を準備することに優先順位付けするスケジューラに渡される。
【００１７】
好適な実施形態においては、移動装置はチャネル品質フィードバックを逆方向リンク上に送信し、そのチャネル品質フィードバックは順方向リンクの測定された品質メトリック（ｍｅｔｒｉｃ）を示す。これらのメトリックは、明示的（チャネル信号対雑音測定実際値）であってよく、又は暗示的（パワー制御コマンド）であってよく、あるいはその両方の混合であってよい。チャネル品質メトリックは、スケジューラに供給され、該スケジューラは、異なる送信を複数のユーザに対して準備し、そしてイベントをＭＡＣ２０８に対して示す。これらの応用のため、ＭＡＣの一部がＰＤＧ及びＣＢＳＣ１０５から基地局へ動かされる。
【００１８】
リンクの基地局側に判断の実行を置くことにより、リンク統計に基づく低い待ち時間及び速い方向転換判断を有する一層インテリジェントなスケジューリングを可能にする。
図３は、８００Ｈｚフィードバックを有する３ｋｐｈでのレイリー・フェーディングを受けたチャネルが与えられた場合のパワー制御コマンドの挙動を示す。
【００１９】
図４は、各遠隔装置Ａ及びＢにより与えられるＣ／Ｉ測定値に基づくスケジューリングを示す。実際の変調（ＱＰＳＫ、１６ＱＡＭ、６４ＱＡＭ）及び用いられた符号化速度（１／２又は３／４）がＣ／Ｉの強度、及び各遠隔装置のための使用可能な帯域幅を示す、基地局で使用可能な他のメトリックにより決定される場合、最強のＣ／Ｉを報告する遠隔装置が最初にスケジューリングされる。十分な帯域幅が使用可能であり、且つ遠隔装置のＣ／Ｉが十分強い場合、その両方は、別個の直交コードを用いて同じ時間間隔に対してスケジューリングされることができる。
【００２０】
図５は、遠隔装置Ａ及びＢの順方向専用制御チャネル（ＤＣＨ）電圧利得レベルを用いて、その利得と、報告されたＣ／Ｉ測定値との高い相関に起因した共通チャネルに関するスケジューリング優先順位を決定することができることを示す（図５参照）。遠隔装置を最低のＤＣＨ電圧利得を用いてスケジューリングすることは、遠隔装置から渡されたＣ／Ｉ測定値に基づいてスケジューリングすることに似ている。
【００２１】
図６は、遠隔装置Ａ及びＢの順方向専用制御チャネル（ＤＣＨ）のパワー制御コマンドの累積（これはまた閉ループ利得調整（ＣＧＡ）と呼ばれる。）を用いて、ＣＧＡレベルと、報告されたＣ／Ｉ測定値との高い相関（図５を参照）に起因した共通チャネルに関する優先順位をスケジューリングすることを決定することができることを示す。遠隔装置を最低のＣＧＡを用いてスケジューリングすることは、遠隔装置から渡されたＣ／Ｉ測定値に基づいてスケジューリングすることに似ている。
【００２２】
図７は、本発明の方法及びシステムに従った異なるリンク・フェーディング・パラメータを図示する。スケジューラは、これらのパラメータを用いて、その内部処理を定義する。例えば、ドップラー・レート（Ｄｏｐｐｌｅｒ  ｒａｔｅ）５０７を用いて、スケジューリング・プロセスにおいて用いられるフェーディング・モード（ゆっくり、中間、速い）を規定し、そしてチャネル・コヒーレンス期間５０３を用いて、所与の移動局のためのスケジューリング・ウィンドウを決定する。強め合うフェード（ｃｏｎｓｔｒｕｃｔｉｖｅ  ｆａｄｅ）５０４中の実際のチャネル利得は、静的チャネル基準点５０５より約３−６ｄｂ高いことに注目されたい。その結果、強め合うフェード中のみ伝送をスケジューリングすることは、このパケットの間に正味の利得を与えるであろう。
【００２３】
図８は、各々が異なるフェード条件を受けている３つの異なる移動局６０１、６０２及び６０３からスケジューラへの入力を図示する。スケジューラは、ユーザ１がコヒーレンス時間の始めに強め合うフェードにあることを認識し、そして時間スロット６０４の間にこのユーザに向けられたパケットに対して最高の優先順位を割り当てる。時間スロット６０５の間、スケジューラは、ユーザ３に対して最高の優先順位を与える。時間スロット６０６の間に、スケジューラはまだ、ユーザ３が強め合うフェードにあることを認識しなかったため、優先順位はユーザ２に割り当てられるが、しかしスケジューラは、ユーザ２が十分コヒーレンス期間の中に入ったことを認識し、そしてフェードは、６０６時間スロット内で起こりそうである。その結果、ユーザ２は、この時間スロット６０６においてフェードのより高い可能性を可能にするため、６０６の間により低い伝送速度を割り当てられる。時間スロット６０７の間に、スケジューラは、チャネルを再びユーザ２に割り当てるが、しかし今度はフェードが無いのでフル・レートが期待される。時間スロット６０８の間に、チャネルはユーザ１に割り当てられる。
【００２４】
図９は、チャネル・データが本発明の方法及びシステムに従って処理される仕方を詳細に説明するフローチャートを図示する。メトリック計算モジュール７０１において、チャネルが強め合うフェードにある確率は、プログラム可能なパラメータ「Ａ」によりスケーリングされ、そしてプログラム可能なパラメータ「Ｂ」によりスケーリングされた優先順位メトリックと組み合わされる。優先順位メトリックは、パケットが伝送キュー（Ｑｕｅ）で待機中である時間の結果である。待ち時間が長ければ長い程、チャネル条件に関係なく選択されるべき所与のパケットに対する優先順位は高くなる。メトリック発生７０１に続いて、スケジューラは、最高のメトリックをメトリック・セレクタ７０２で選択する。一旦、送信されるべきパケット、又はサービスされるべき移動局が分かると、速度決定７０３は、チャネル条件７０５、及びフェード・サイクル７０６で残されたコヒーレンス時間に基づいて用いるべき速度を定める。パケットは、ブロック７０６で送信される。ブロック７０７が優先順位カウンタをリセットし、そしてスケーリング・シークエンスが始めから再開する。
【００２５】
本発明の好適な実施形態の前述の説明は例示及び説明の目的のために提供された。それは、本発明を網羅する意図でなく、また本発明を開示された正確な形式に限定する意図でもない。明らかな修正又は変更が前述の教示に照らして可能である。実施形態は、本発明の原理及びその実際的適用の最良の説明を提供するため、及び当業者が本発明を、企図される特定の使用に適するように様々な実施形態で及び種々の修正をして利用するのを可能にするため選定されそして記載された。そのような全ての修正及び変更は、それらが明白に法的に且つ公平に権利がある幅に従って解釈される場合特許請求の範囲により決定される本発明の範囲内にある。
【図面の簡単な説明】
【００２６】
【図１】図１は、本発明の方法及びシステムに従った通信システムを示す。
【図２】図２は、本発明の方法及びシステムに従った通信システムの層構造のブロック図を示す。
【図３】図３は、典型的な無線通信チャネルのフェーディング・プロフィールを示す。
【図４】図４は、各遠隔装置Ａ及びＢにより与えられるＣ／Ｉ測定値に基づくスケジューリングを示す。
【図５】図５は、遠隔装置Ａ及びＢの順方向専用制御チャネル（ＤＣＨ）電圧利得レベルを用いて共通チャネルに関するスケジューリング優先順位を決定することができることを示す。
【図６】図６は、遠隔装置Ａ及びＢの順方向専用制御チャネル（ＤＣＨ）のパワー制御コマンドの累積（閉ループ利得調整（ＣＧＡ）とも呼ばれる。）を示す。
【図７】図７は、チャネル統計及び重要なチャネル・メトリックの性質を示す。
【図８】図８は、本発明の方法及びシステムに従ったチャネル統計に基づいて複数のユーザをスケジューリングする例を図示する。
【図９】図９は、本発明の方法及びシステムに従った、複数のユーザのためのトランシーバ基地局伝送スケジューリングのプロセスを示す機能フロー図を示す。
【符号の説明】
【００２７】
１００  通信システム
１０２  移動局
１０３、１０４  トランシーバ基地局
１０５  中央基地局制御装置（ＣＢＳＣ）
１０６  トランスコーダ
１０７、１０８、１１０  トランシーバ
１１１  選択分配ユニット（ＳＤＵ）
【図１】
2007060723.tif 000003
【図２】
2007060723.tif 000004
【図３】
2007060723.tif 000005
【図４】
2007060723.tif 000006
【図５】
2007060723.tif 000007
【図６】
2007060723.tif 000008
【図７】
2007060723.tif 000009
【図８】
2007060723.tif 000010
【図９】
2007060723.tif 000011